(57)【要約】      （修正有）【課題】一のユーザの第一の会員情報が変更された場合に自動的に当該一のユーザの第二の会員情報に反映でき、かつ当該一のユーザの第二の会員情報が変更された場合に自動的に当該一のユーザの第一の会員情報に反映できるサーバ装置、情報処理方法及びプログラムを提供する。【解決手段】会員情報管理システムにおいて、サーバ装置１１は、第一会員情報管理装置から第一の会員識別子と第一会員情報変更情報とを受信する第一の受信処理、第二会員情報管理装置から第二の会員識別子と第二会員情報変更情報とを受信する第二の受信処理を行う第一会員情報変更情報受信部１１２と、第一の受信処理に応じて第二会員情報管理装置の第二会員情報を更新するための第一の更新処理を行い、第二の受信処理に応じて第一会員情報管理装置の第一会員情報を更新するための第二の更新処理を行う会員情報更新部１１３とを具備する。【選択図】図３
2020057419.tif 000002
【特許請求の範囲】
【請求項１】
一の会員の第一の会員識別子と第二の会員識別子とを対応付ける情報である会員対応情報を格納し得る会員対応情報格納部と、
前記第一の会員識別子を有する第一会員情報の第一変更指示を受け付け、当該第一変更指示に従って第一会員情報を更新し、かつ前記一の会員の第一会員情報の変更に関する第一会員情報変更情報を構成した第一会員情報管理装置から、前記第一の会員識別子と前記第一会員情報変更情報とを受信する第一の受信処理を行い、
かつ前記第二の会員識別子を有する第二会員情報の第二変更指示を受け付け、当該第二変更指示に従って第二会員情報を更新し、かつ前記一の会員の第二会員情報の変更に関する第二会員情報変更情報を構成した第二会員情報管理装置から、前記第二の会員識別子と前記第二会員情報変更情報とを受信する第二の受信処理を行う第一会員情報変更情報受信部と、
前記第一会員情報変更情報受信部が第一の受信処理を行った場合、前記第一会員情報変更情報受信部が受信した第一の会員識別子に対応する第二の会員識別子を前記会員対応情報格納部の会員対応情報を用いて取得し、当該第二の会員識別子と対になる第二会員情報を、前記第一会員情報変更情報受信部が受信した第一会員情報変更情報を用いて更新するための第一の更新処理を行い、
かつ前記第一会員情報変更情報受信部が第二の受信処理を行った場合、前記第一会員情報変更情報受信部が受信した第二の会員識別子に対応する第一の会員識別子を前記会員対応情報格納部の会員対応情報を用いて取得し、当該第一の会員識別子と対になる第一会員情報を、前記第一会員情報変更情報受信部が受信した第二会員情報変更情報を用いて更新するための第二の更新処理を行う会員情報更新部とを具備するサーバ装置。
【請求項２】
前記第二会員情報は、会員を識別するコードを有し、
前記第一会員情報変更情報受信部が受信した第一会員情報変更情報に対応するユニークなコードを生成するコード生成部をさらに具備し、
前記会員情報更新部が行う第一の更新処理は、
前記第二会員情報を構成するコードを、前記コード生成部が生成したコードに更新し、かつ前記第一会員情報変更情報受信部が受信した第一の会員識別子に対応する第二の会員識別子と対になる第二会員情報であり、コードを除く第二会員情報の全部または一部を、前記第一会員情報変更情報受信部が受信した第一会員情報変更情報を用いて更新するための処理である、請求項１記載のサーバ装置。
【請求項３】
第一の会員識別子と当該第一の会員識別子で識別される会員の第一会員情報の変更に関する第一会員情報変更情報とを受信する第一会員情報変更情報受信部と、
前記第一会員情報変更情報受信部が受信した第一会員情報変更情報に対応するユニークなコードを生成するコード生成部と、
前記第一会員情報変更情報受信部が受信した第一の会員識別子に対応する第二の会員識別子と対になる第二会員情報を構成するコードを、前記コード生成部が生成したコードに更新し、かつ前記第一会員情報変更情報受信部が受信した第一の会員識別子に対応する第二の会員識別子と対になる第二会員情報であり、コードを除く第二会員情報の全部または一部を、前記第一会員情報変更情報受信部が受信した第一会員情報変更情報を用いて更新するための第一の更新処理を行う会員情報更新部とを具備するサーバ装置。
【請求項４】
前記コード生成部が生成するコードを用いて、電子会員証を構成する電子会員証構成部と、
前記電子会員証を出力する電子会員証出力部とをさらに具備する請求項２または請求項３記載のサーバ装置。
【請求項５】
前記コードは、バーコードまたは二次元バーコードである請求項２から請求項４いずれか一項に記載のサーバ装置。
【請求項６】
一の会員の第一の会員識別子と第二の会員識別子とを対応付ける情報である会員対応情報を格納し得る会員対応情報格納部と、第一会員情報変更情報受信部と、会員情報更新部とにより実現される会員情報更新方法であって、
前記第一会員情報変更情報受信部が、前記第一の会員識別子を有する第一会員情報の第一変更指示を受け付け、当該第一変更指示に従って第一会員情報を更新し、かつ前記一の会員の第一会員情報の変更に関する第一会員情報変更情報を構成した第一会員情報管理装置から、前記第一の会員識別子と前記第一会員情報変更情報とを受信する第一の受信ステップと、
前記会員情報更新部が、前記第一の受信ステップで受信された第一の会員識別子に対応する第二の会員識別子を前記会員対応情報格納部の会員対応情報を用いて取得し、当該第二の会員識別子と対になる第二会員情報を、前記第一の受信ステップで受信された第一会員情報変更情報を用いて更新するための第一の更新ステップと、
前記第一会員情報変更情報受信部が、前記第二の会員識別子を有する第二会員情報の第二変更指示を受け付け、当該第二変更指示に従って第二会員情報を更新し、かつ前記一の会員の第二会員情報の変更に関する第二会員情報変更情報を構成した第二会員情報管理装置から、前記第二の会員識別子と前記第二会員情報変更情報とを受信する第二の受信ステップと、
前記会員情報更新部が、前記第二の受信ステップで受信された第二の会員識別子に対応する第一の会員識別子を前記会員対応情報格納部の会員対応情報を用いて取得し、当該第一の会員識別子と対になる第一会員情報を、前記第二の受信ステップで受信された第二会員情報変更情報を用いて更新するための第二の更新ステップとを具備する会員情報更新方法。
【請求項７】
第一会員情報変更情報受信部と、コード生成部と、会員情報更新部とにより実現される会員情報更新方法であって、
前記第一会員情報変更情報受信部が、第一の会員識別子と当該第一の会員識別子で識別される会員の第一会員情報の変更に関する第一会員情報変更情報とを受信する第一会員情報変更情報受信ステップと、
前記コード生成部が、前記第一会員情報変更情報受信ステップで受信された第一会員情報変更情報に対応するユニークなコードを生成するコード生成ステップと、
前記会員情報更新部が、前記第一会員情報変更情報受信ステップで受信した第一の会員識別子に対応する第二の会員識別子と対になる第二会員情報を構成するコードを、前記コード生成ステップで生成されたコードに更新し、かつ前記第一会員情報変更情報受信ステップで受信された第一の会員識別子に対応する第二の会員識別子と対になる第二会員情報であり、コードを除く第二会員情報の全部または一部を、前記第一会員情報変更情報受信ステップで受信された第一会員情報変更情報を用いて更新するための第一の更新処理を行う会員情報更新ステップとを具備する会員情報更新方法。
【請求項８】
一の会員の第一の会員識別子と第二の会員識別子とを対応付ける情報である会員対応情報を格納し得る会員対応情報格納部にアクセス可能なコンピュータを、
前記第一の会員識別子を有する第一会員情報の第一変更指示を受け付け、当該第一変更指示に従って第一会員情報を更新し、かつ前記一の会員の第一会員情報の変更に関する第一会員情報変更情報を構成した第一会員情報管理装置から、前記第一の会員識別子と前記第一会員情報変更情報とを受信する第一の受信処理を行い、
かつ前記第二の会員識別子を有する第二会員情報の第二変更指示を受け付け、当該第二変更指示に従って第二会員情報を更新し、かつ前記一の会員の第二会員情報の変更に関する第二会員情報変更情報を構成した第二会員情報管理装置から、前記第二の会員識別子と前記第二会員情報変更情報とを受信する第二の受信処理を行う第一会員情報変更情報受信部と、
前記第一会員情報変更情報受信部が第一の受信処理を行った場合、前記第一会員情報変更情報受信部が受信した第一の会員識別子に対応する第二の会員識別子を前記会員対応情報格納部の会員対応情報を用いて取得し、当該第二の会員識別子と対になる第二会員情報を、前記第一会員情報変更情報受信部が受信した第一会員情報変更情報を用いて更新するための第一の更新処理を行い、
かつ前記第一会員情報変更情報受信部が第二の受信処理を行った場合、前記第一会員情報変更情報受信部が受信した第二の会員識別子に対応する第一の会員識別子を前記会員対応情報格納部の会員対応情報を用いて取得し、当該第一の会員識別子と対になる第一会員情報を、前記第一会員情報変更情報受信部が受信した第二会員情報変更情報を用いて更新するための第二の更新処理を行う会員情報更新部として機能させるためのプログラム。
【請求項９】
コンピュータを、
第一の会員識別子と当該第一の会員識別子で識別される会員の第一会員情報の変更に関する第一会員情報変更情報とを受信する第一会員情報変更情報受信部と、
前記第一会員情報変更情報受信部が受信した第一会員情報変更情報に対応するユニークなコードを生成するコード生成部と、
前記第一会員情報変更情報受信部が受信した第一の会員識別子に対応する第二の会員識別子と対になる第二会員情報を構成するコードを、前記コード生成部が生成したコードに更新し、かつ前記第一会員情報変更情報受信部が受信した第一の会員識別子に対応する第二の会員識別子と対になる第二会員情報であり、コードを除く第二会員情報の全部または一部を、前記第一会員情報変更情報受信部が受信した第一会員情報変更情報を用いて更新するための第一の更新処理を行う会員情報更新部として機能させるためのプログラム。
【発明の詳細な説明】
【技術分野】
【０００１】
本発明は、会員情報の管理を行うサーバ装置等に関するものである。
【背景技術】
【０００２】
従来、複数の携帯電話から入力された会員の情報を管理する会員情報管理システムがあった（例えば、特許文献１参照）。この会員情報管理システムは、携帯電話から取得した複数の会員の個人識別情報と、これらの会員がカップル登録した識別情報とを関連付けて登録する会員情報マスターファイルと、このカップルに関連するイベントが発生した場合に、カップル登録された会員の携帯電話から当該イベントの評価ポイントの入力を受付ける申込受付部と、会員から受付けた評価ポイントを、イベント種別及びカップル識別情報に関連付けて登録するカップル登録ＤＢとを備えた会員情報管理システムが存在した。
【０００３】
また、多くのユーザは、コンビニエンスストア、航空会社、レンタルビデオショップ、電気量販店、電子商取引のショップやサイト等、多数の種類の会員情報を登録しているのが現状である。そして、引っ越しにより住所が変更になったり、使用するメールアドレスが変わったり、結婚により名前が変わったりした場合等、複数のサーバ装置で管理されている会員情報のそれぞれを、個別に、人手により変更していた。
【先行技術文献】
【特許文献】
【０００４】
【特許文献１】特開２００６−３１１８３号公報（第１頁、第１図等）
【発明の概要】
【発明が解決しようとする課題】
【０００５】
しかしながら、従来の会員情報管理システムにおいては、一のユーザの異なる会員情報が、各会員情報を管理する複数の装置に存在する場合に、一のユーザの一の会員情報が変更された際に、変更された情報が、自動的に当該一のユーザの他の会員情報に反映できなかった。
【課題を解決するための手段】
【０００６】
本第一の発明のサーバ装置は、第一の会員識別子と第一の会員識別子で識別される会員の第一会員情報の変更に関する情報である第一会員情報変更情報とを受信する第一会員情報変更情報受信部と、第一会員情報変更情報受信部が受信した第一の会員識別子に対応する第二の会員識別子と対になる第二会員情報を、第一会員情報変更情報受信部が受信した第一会員情報変更情報を用いて更新するための処理を行う会員情報更新部とを具備するサーバ装置である。
【０００７】
かかる構成により、一のユーザの異なる会員情報が、各会員情報を管理する複数の装置に存在する場合に、一のユーザの一の会員情報が変更された際に、自動的に当該一のユーザの他の会員情報も変更できる。
【０００８】
また、本第二の発明のサーバ装置は、第一の発明に対して、第一の会員識別子と第二の会員識別子とを対応付ける情報である１または２以上の会員対応情報を格納し得る会員対応情報格納部をさらに具備し、会員情報更新部は、第一会員情報変更情報受信部が受信した第一の会員識別子に対応する第二の会員識別子を、会員対応情報格納部から取得し、第二の会員識別子と対になる第二会員情報を、第一会員情報変更情報受信部が受信した第一会員情報変更情報を用いて更新するための処理を行うサーバ装置である。
【０００９】
かかる構成により、一のユーザの異なる会員情報が、各会員情報を管理する複数の装置に存在する場合に、一のユーザの一の会員情報が変更された際に、自動的に当該一のユーザの他の会員情報も変更できる。
【００１０】
また、本第三の発明のサーバ装置は、第一または第二の発明に対して、第二の会員識別子と第二の会員識別子で識別される会員に関する情報である第二会員情報との組を、１組または２組以上格納し得る第二会員情報格納部をさらに具備し、会員情報更新部は、第一会員情報変更情報受信部が受信した第一の会員識別子に対応する第二の会員識別子と対になる第二会員情報を、第一会員情報変更情報受信部が受信した第一会員情報変更情報を用いて更新するサーバ装置である。
【００１１】
かかる構成により、一のユーザの異なる会員情報が、各会員情報を管理する複数の装置に存在する場合に、一のユーザの一の会員情報が変更された際に、自動的に当該一のユーザの他の会員情報も変更できる。
【００１２】
また、本第四の発明のサーバ装置は、第一から第三いずれか１つの発明に対して、第二会員情報は、会員を識別するコードを有し、第一会員情報変更情報受信部が受信した第一会員情報変更情報に対応するユニークなコードを生成するコード生成部をさらに具備し、会員情報更新部は、第二会員情報を構成するコードを、前記コード生成部が生成したコードに更新し、かつ第一会員情報変更情報受信部が受信した第一の会員識別子に対応する第二の会員識別子と対になる第二会員情報であり、コードを除く第二会員情報の全部または一部を、第一会員情報変更情報受信部が受信した第一会員情報変更情報を用いて更新するための処理を行うサーバ装置である。
【００１３】
かかる構成により、第一会員情報変更情報を用いて、会員のコードを生成できる。
【００１４】
また、本第五の発明のサーバ装置は、第四の発明に対して、コード生成部が生成するコードを用いて、電子会員証を構成する電子会員証構成部と、電子会員証を出力する電子会員証出力部とをさらに具備するサーバ装置である。
【００１５】
かかる構成により、第一会員情報変更情報を用いて、会員のコードを生成し、当該コードを用いた電子会員証を構成できる。
【００１６】
また、本第六の発明のサーバ装置は、第四または第五の発明に対して、コードは、バーコードまたは二次元バーコードであるサーバ装置である。
【００１７】
かかる構成により、第一会員情報変更情報を用いて、会員のバーコードまたは二次元バーコードを生成し、当該コードを用いた電子会員証を構成できる。
【発明の効果】
【００１８】
本発明による会員情報管理システムによれば、一のユーザの異なる会員情報が、各会員情報を管理する複数の装置に存在する場合に、一のユーザの一の会員情報が変更された際に、自動的に当該一のユーザの他の会員情報も変更できる。
【図面の簡単な説明】
【００１９】
【図１】実施の形態１における会員情報管理システム１の概念図
【図２】同会員情報管理システム１のブロック図
【図３】同サーバ装置１１のブロック図
【図４】同サーバ装置１１の動作について説明するフローチャート
【図５】同第一会員情報管理装置１２の動作について説明するフローチャート
【図６】同他の会員情報管理装置の動作について説明するフローチャート
【図７】同会員対応情報管理表を示す図
【図８】同属性対応情報管理表を示す図
【図９】同第一会員情報管理表を示す図
【図１０】同第二会員情報管理表を示す図
【図１１】同第三会員情報管理表を示す図
【図１２】同電子会員証の出力例を示す図
【図１３】同電子会員証の出力例を示す図
【図１４】実施の形態２における会員情報管理システム２の概念図
【図１５】同会員情報管理システム２のブロック図
【図１６】同サーバ装置２１の動作について説明するフローチャート
【図１７】上記実施の形態におけるコンピュータシステムの概観図
【図１８】同コンピュータシステムのブロック図
【発明を実施するための形態】
【００２０】
以下、会員情報管理システム等の実施形態について図面を参照して説明する。なお、実施の形態において同じ符号を付した構成要素は同様の動作を行うので、再度の説明を省略する場合がある。
【００２１】
（実施の形態１）
本実施の形態において、第一の会員識別子に対応する会員情報が変更された際に、第一の会員識別子と対になる他の会員識別子に対応する会員情報を、自動的に変更できる会員情報管理システムについて説明する。
【００２２】
また、本実施の形態において、変更された会員情報に対応するコードを生成できる会員情報管理システムについて説明する。なお、生成されるコードは、例えば、電子会員証に利用されるコードである。また、生成されるコードは、例えば、バーコードまたは二次元バーコードである。
【００２３】
図１は、本実施の形態における会員情報管理システム１の概念図である。会員情報管理システム１は、サーバ装置１１、第一会員情報管理装置１２、第二会員情報管理装置１３、・・・、および第ｎ会員情報管理装置１ｍを備える。サーバ装置１１は、第一会員情報管理装置１２、第二会員情報管理装置１３、・・・、第ｎ会員情報管理装置１ｍのいずいれかの装置から、会員情報の変更に関する情報である会員情報変更情報を受信し、当該会員情報変更情報を用いて、他の装置の会員情報を更新するための処理を行う装置である。第一会員情報管理装置１２、第二会員情報管理装置１３、・・・、第ｎ会員情報管理装置１ｍは、会員情報を管理する装置である。なお、サーバ装置１１、第一会員情報管理装置１２、第二会員情報管理装置１３、・・・、第ｎ会員情報管理装置１ｍは、例えば、クラウドサーバ、ＡＳＰにおけるサーバ装置等であり、その種類は問わない。また、会員情報を管理する装置は、第一会員情報管理装置１２から第ｎ会員情報管理装置１ｍまで、ｎ（ｎは２以上の自然数）個、存在する。さらに、複数の会員情報管理装置で管理されている会員情報は、例えば、異なる企業が提供するサービスや商品に関する会員の情報である。つまり、会員情報を管理する複数の会員情報管理装置は、例えば、異なる企業が運営する装置である。
【００２４】
なお、ここでは、第一会員情報管理装置１２は、会員情報の変更を受け付ける会員情報管理装置である、とする。そして、第二会員情報管理装置１３、・・・、第ｎ会員情報管理装置１ｍは、第一会員情報管理装置１２で受け付けられた会員情報の変更に基づいて、格納している会員情報を自動変更する会員情報管理装置である、とする。サーバ装置１１は、第二会員情報管理装置１３、・・・、第ｎ会員情報管理装置１ｍにおける会員情報の自動変更を支援するための装置である。
【００２５】
図２は、本実施の形態における会員情報管理システム１のブロック図である。また、図３は、サーバ装置１１のブロック図である。
【００２６】
会員情報管理システム１を構成するサーバ装置１１は、会員対応情報格納部１１１、第一会員情報変更情報受信部１１２、会員情報更新部１１３、コード生成部１１４、電子会員証構成部１１５、および電子会員証出力部１１６を備える。
【００２７】
第一会員情報管理装置１２は、第一会員情報格納部１２１、第一受付部１２２、第一処理部１２３、および第一送信部１２４を備える。
【００２８】
第二会員情報管理装置１３は、第二会員情報格納部１３１、第二受付部１３２、第二処理部１３３、および第二送信部１３４を備える。
【００２９】
第ｎ会員情報管理装置１ｍは、第ｎ会員情報格納部１ｍ１、第ｎ受付部１ｍ２、第ｎ処理部１ｍ３、および第ｎ送信部１ｍ４を備える。
【００３０】
サーバ装置１１を構成する会員対応情報格納部１１１は、１または２以上の会員対応情報を格納し得る。会員対応情報は、２または３以上の会員識別子を対応付ける情報である。会員対応情報は、例えば、第一の会員識別子と第二の会員識別子とを対応付ける情報である。なお、会員識別子は、会員を識別する情報であり、例えば、会員ＩＤ、メールアドレス、電話番号等である。
【００３１】
なお、会員対応情報格納部１１１は、サーバ装置１１以外の外部装置で管理されていても良い。サーバ装置１１は、一の会員識別子をキーとして、外部装置に問い合わせて、他の会員識別子を得ても良い。サーバ装置１１は、例えば、第一の会員識別子を用いて、外部装置に問い合わせて、第一の会員識別子と対になる第二の会員識別子を得ても良い。
【００３２】
第一会員情報変更情報受信部１１２は、第一の会員識別子と第一会員情報変更情報とを受信する。第一会員情報変更情報受信部１１２は、通常、第一の会員識別子と第一会員情報変更情報とを、第一会員情報管理装置１２から受信する。
【００３３】
第一会員情報変更情報は、第一会員情報の変更に関する情報である。第一会員情報変更情報は、変更された情報を含む第一会員情報のすべてでも良いし、第一会員情報のうちの変更された情報のみを含む情報でも良いし、第一会員情報のうちの変更された情報と、当該情報に対応する属性名でも良いし、変更された情報のうち、第二会員情報に含まれる属性に対応する情報のみ等でも良いし、変更された情報のうち、第二会員情報に含まれる属性に対応する情報と、第二会員情報に含まれる属性名との集合等でも良い。第一会員情報変更情報は、最新の他の会員情報を構成できる情報であれば、その内容や形式等は問わない。最新の他の会員情報は、例えば、最新の第二会員情報である。また、第一会員情報とは、第一会員情報変更情報に対応する第一の会員識別子で識別される会員の会員情報である。会員情報は、会員に関する情報であり、例えば、会員識別子、会員の氏名、年齢、住所、メールアドレス等を含む。会員情報は、会員を識別するコードを有することは好適である。コードは、例えば、バーコードまたは二次元バーコードである。コードは、例えば、電子会員証を構成する。なお、会員情報は、通常、静的会員情報であるが、動的会員情報を含んでも良い。静的会員情報とは、通常、会員登録の際に受け付けられる情報である。静的会員情報は、例えば、上述した会員の氏名、年齢、住所、メールアドレス等である。また、動的会員情報とは、会員としての活動に応じて得られる情報である。動的会員情報は、例えば、会員証を用いた際に得られる情報である。また、動的会員情報は、例えば、会員の行動履歴に関する情報であり、クーポンの使用の回数、クーポンの使用の頻度、特定のクーポンの使用の有無、会員証を用いた購入金額、会員証を用いた購入回数、会員証を用いた購入の頻度等である。
【００３４】
会員情報更新部１１３は、第一会員情報変更情報受信部１１２が受信した第一の会員識別子に対応する他の会員識別子と対になる他の会員情報を、第一会員情報変更情報を用いて更新するための処理を行う。他の会員情報を更新するための処理とは、第一会員情報変更情報の送信でも良いし、第一会員情報変更情報を他の会員情報のフォーマットに変更し、当該フォーマットを変更した他の会員情報の全部または一部を送信する処理でも良いし、他の会員情報を更新する処理等でも良い。
【００３５】
会員情報更新部１１３は、例えば、第一会員情報変更情報受信部１１２が受信した第一の会員識別子に対応する第二の会員識別子と対になる第二会員情報を、第一会員情報変更情報受信部１１２が受信した第一会員情報変更情報を用いて更新するための処理を行う。
【００３６】
会員情報更新部１１３は、例えば、第一会員情報変更情報受信部１１２が受信した第一の会員識別子に対応する他の１または２以上の会員識別子を、会員対応情報格納部１１１から取得する。そして、会員情報更新部１１３は、例えば、当該他の１または２以上の各会員識別子と対になる１または２以上の会員情報を、第一会員情報変更情報受信部１１２が受信した第一会員情報変更情報を用いて更新するための処理を行う。
【００３７】
会員情報更新部１１３は、例えば、第一会員情報変更情報受信部１１２が受信した第一の会員識別子に対応する第二の会員識別子を、会員対応情報格納部１１１から取得し、第二の会員識別子と対になる第二会員情報を、第一会員情報変更情報受信部１１２が受信した第一会員情報変更情報を用いて更新するための処理を行う。
【００３８】
会員情報更新部１１３は、例えば、第一会員情報変更情報受信部１１２が受信した第一の会員識別子に対応する他の１または２以上の会員識別子と対になる１または２以上の会員情報を、第一会員情報変更情報受信部１１２が受信した第一会員情報変更情報とコード生成部１１４が生成したコードとを用いて更新するための処理を行っも良い。つまり、会員情報更新部１１３は、例えば、第二会員情報を構成するコードを、コード生成部１１４が生成したコードに更新する。そして、会員情報更新部１１３は、例えば、第一会員情報変更情報受信部１１２が受信した第一の会員識別子に対応する第二の会員識別子と対になる第二会員情報であり、コードを除く第二会員情報の全部または一部を、第一会員情報変更情報受信部１１２が受信した第一会員情報変更情報を用いて更新するための処理を行っても良い。
なお、会員情報更新部１１３が更新した会員情報は、電子会員証構成部１１５が構成した電子会員証を含んでも良い。
【００３９】
会員情報更新部１１３は、例えば、第一会員情報変更情報受信部１１２が受信した第一の会員識別子に対応する第二の会員識別子と対になる第二会員情報を、第一会員情報変更情報受信部１１２が受信した第一会員情報変更情報とコード生成部１１４が生成したコードとを用いて更新しても良い。
【００４０】
上記で更新とは、更新するための処理を行うことと考えても良い。更新は、更新蓄積でも良いし、外部で管理されている会員情報を更新するために、第一会員情報変更情報を送信する等しても良い。
【００４１】
コード生成部１１４は、第一会員情報変更情報受信部１１２が受信した第一会員情報変更情報に対応するユニークなコードを生成する。コードは、ユーザに対して振られるユニークな情報であり、通常、第一会員情報変更情報に含まれる情報を有する。なお、コード生成のアルゴリズムは問わない。会員ごとに生成されるコードがユニークであれば良い。また、コードは、例えば、バーコード、二次元バーコード等である。
【００４２】
電子会員証構成部１１５は、コード生成部１１４が生成するコードを用いて、電子会員証を構成する。電子会員証は、通常、コードを含む。
【００４３】
電子会員証出力部１１６は、電子会員証構成部１１５が構成した電子会員証を出力する。ここで、出力とは、通常、外部の装置への送信であるが、ディスプレイへの表示、プロジェクターを用いた投影、プリンタでの印字、音出力、記録媒体への蓄積、他の処理装置や他のプログラムなどへの処理結果の引渡しなどを含む概念である。
【００４４】
第一会員情報管理装置１２を構成する第一会員情報格納部１２１は、１または２以上の第一会員情報を格納し得る。第一会員情報は、会員情報である。第一会員情報は、通常、第一の会員識別子と対応付いていている。また、第一会員情報は、第一の会員識別子を有しても良い。
【００４５】
第一受付部１２２は、第一会員情報を受け付ける。  第一受付部１２２は、第一会員情報の変更指示を受け付ける。変更指示は、通常、第一の会員識別子を有する。変更指示は、通常、変更される属性値と変更される属性名とを有する。変更される属性値は、会員情報を構成する。
【００４６】
また、ここで、受け付けとは、通常、ユーザが使用する端末装置（図示しない）からの受信である。ただし、受け付けとは、キーボードやマウス、タッチパネルなどの入力デバイスから入力された情報の受け付け、光ディスクや磁気ディスク、半導体メモリなどの記録媒体から読み出された情報の受け付けなどを含む概念である、と考えても良い。
【００４７】
第一処理部１２３は、各種の処理を行う。第一処理部１２３は、例えば、第一受付部１２２が受け付けた第一会員情報の変更指示に対応して、第一会員情報変更情報を構成する。第一処理部１２３は、例えば、第一受付部１２２が受け付けた第一会員情報の変更指示に応じて、変更される情報の集合からなる第一会員情報変更情報を構成する。
【００４８】
また、第一処理部１２３は、上述したコード生成部１１４が行う処理と同様に、第一会員情報変更情報に対応するユニークなコードを生成しても良い。なお、このコードは、最新の第一会員情報に対応するコードである。
【００４９】
また、第一処理部１２３は、上述した電子会員証構成部１１５が行う処理と同様に、第一処理部１２３が生成したコードを用いて、電子会員証を構成しても良い。なお、このなお、この電子会員証は、最新の第一会員情報に対応する電子会員証である。
【００５０】
第一送信部１２４は、第一処理部１２３が構成した第一会員情報変更情報を送信する。第一送信部１２４は、第一会員情報変更情報を、通常、サーバ装置１１に送信する。第一送信部１２４は、第一会員情報変更情報を他の会員情報管理装置に送信しても良い。他の会員情報管理装置は、例えば、第二会員情報管理装置１３、第ｎ会員情報管理装置１ｍなどである。
【００５１】
第二会員情報管理装置１３を構成する第二会員情報格納部１３１は、１または２以上の第二会員情報を格納し得る。第二会員情報は、会員情報である。第二会員情報は、通常、第二の会員識別子と対応付けられている。また、第二会員情報は、第二の会員識別子を有しても良い。
【００５２】
第二受付部１３２は、最新の第二会員情報を得るための情報である第二最新会員情報構成情報を受け付ける。第二最新会員情報構成情報は、第一会員情報変更情報と同じでも良い。第二最新会員情報構成情報は、第二会員情報のうちで、更新される情報のみを含んでも良い。また、第二最新会員情報構成情報は、第二会員情報のうちで、更新される情報と、当該情報に対応する属性名との集合でも良い。また、第二最新会員情報構成情報は、更新される情報を含む第二会員情報のすべてでも良い。また、第二最新会員情報構成情報は、更新される情報と、当該情報に対応する、第一会員情報の属性名との集合でも良い。
【００５３】
ここで、受け付けとは、通常、サーバ装置１１からの受信である。ただし、受け付けとは、キーボードやマウス、タッチパネルなどの入力デバイスから入力された情報の受け付け、光ディスクや磁気ディスク、半導体メモリなどの記録媒体から読み出された情報の受け付けなどを含む概念である、と考えても良い。
【００５４】
第二処理部１３３は、各種の処理を行う。第二処理部１３３は、例えば、第二最新会員情報構成情報を用いて、第二会員情報を更新する処理である。
【００５５】
また、第二処理部１３３は、上述したコード生成部１１４が行う処理と同様に、第二最新会員情報構成情報に対応するユニークなコードを生成しても良い。なお、このコードは、最新の第二会員情報に対応するコードである。
【００５６】
また、第二処理部１３３は、上述した電子会員証構成部１１５が行う処理と同様に、コードを用いて、電子会員証を構成しても良い。なお、このなお、この電子会員証は、第二最新会員情報構成情報に対応する電子会員証である。
【００５７】
第二送信部１３４は、各種の情報を送信する。第二送信部１３４は、例えば、第二処理部１３３における処理結果を、サーバ装置１１に送信する。
【００５８】
第ｎ会員情報管理装置１ｍを構成する第ｎ会員情報格納部１ｍ１は、１または２以上の第ｎ会員情報を格納し得る。第ｎ会員情報は、会員情報である。第ｎ会員情報は、通常、第ｎの会員識別子と対応付いている。第ｎ会員情報は、第ｎの会員識別子を有しても良い。
【００５９】
第ｎ受付部１ｍ２は、最新の第ｎ会員情報を得るための情報である第ｎ最新会員情報構成情報を受け付ける。第ｎ最新会員情報構成情報は、第一会員情報変更情報と同じでも良い。第ｎ最新会員情報構成情報は、第ｎ会員情報のうちで、更新される情報のみを含んでも良い。また、第ｎ最新会員情報構成情報は、第ｎ会員情報のうちで、更新される情報と、当該情報に対応する属性名の集合でも良い。また、第ｎ最新会員情報構成情報は、更新される情報を含む第ｎ会員情報のすべて等でも良い。
【００６０】
ここで、受け付けとは、通常、サーバ装置１１からの受信である。ただし、受け付けとは、キーボードやマウス、タッチパネルなどの入力デバイスから入力された情報の受け付け、光ディスクや磁気ディスク、半導体メモリなどの記録媒体から読み出された情報の受け付けなどを含む概念である、と考えても良い。
【００６１】
第ｎ処理部１ｍ３は、各種の処理を行う。第ｎ処理部１ｍ３は、例えば、第ｎ最新会員情報構成情報を用いて、第ｎ会員情報を更新する処理である。
【００６２】
また、第ｎ処理部１ｍ３は、上述したコード生成部１１４が行う処理と同様に、第ｎ最新会員情報構成情報に対応するユニークなコードを生成しても良い。なお、このコードは、最新の第ｎ会員情報に対応するコードである。
【００６３】
また、第ｎ処理部１ｍ３は、上述した電子会員証構成部１１５が行う処理と同様に、コードを用いて、電子会員証を構成しても良い。なお、このなお、この電子会員証は、第ｎ最新会員情報構成情報に対応する電子会員証である。
【００６４】
第ｎ送信部１ｍ４は、各種の情報を送信する。第ｎ送信部１ｍ４は、例えば、第ｎ処理部１ｍ３における処理結果を、サーバ装置１１に送信する。
【００６５】
会員対応情報格納部１１１、第一会員情報格納部１２１、第二会員情報格納部１３１、第ｎ会員情報格納部１ｍ１は、不揮発性の記録媒体が好適であるが、揮発性の記録媒体でも実現可能である。
【００６６】
会員対応情報格納部１１１等に情報が記憶される過程は問わない。例えば、記録媒体を介して情報が会員対応情報格納部１１１等で記憶されるようになってもよく、通信回線等を介して送信された情報が会員対応情報格納部１１１等で記憶されるようになってもよく、あるいは、入力デバイスを介して入力された情報が会員対応情報格納部１１１等で記憶されるようになってもよい。
【００６７】
第一会員情報変更情報受信部１１２、第一受付部１２２、第二受付部１３２、および第ｎ受付部１ｍ２は、通常、無線または有線の通信手段で実現されるが、放送を受信する手段で実現されても良い。
【００６８】
会員情報更新部１１３、コード生成部１１４、電子会員証構成部１１５、第一処理部１２３、第二処理部１３３、および第ｎ処理部１ｍ３は、通常、ＭＰＵやメモリ等から実現され得る。会員情報更新部１１３の処理手順は、通常、ソフトウェアで実現され、当該ソフトウェアはＲＯＭ等の記録媒体に記録されている。但し、ハードウェア（専用回路）で実現しても良い。
【００６９】
電子会員証出力部１１６、第一送信部１２４、第二送信部１３４、および第ｎ送信部１ｍ４は、通常、無線または有線の通信手段で実現されるが、放送手段で実現されても良い。
【００７０】
次に、会員情報管理システム１の動作について説明する。まず、サーバ装置１１の動作について、図４のフローチャートを用いて説明する。
【００７１】
（ステップＳ４０１）第一会員情報変更情報受信部１１２は、第一の会員識別子と第一会員情報変更情報とを受信したか否かを判断する。第一会員情報変更情報等を受信した場合はステップＳ４０２に行き、受信しない場合はステップＳ４０１に戻る。なお、第一会員情報変更情報受信部１１２は、通常、第一の会員識別子と第一会員情報変更情報とを、ユーザの端末装置（図示しない）から受信する。
【００７２】
（ステップＳ４０２）会員情報更新部１１３は、ステップＳ４０１で受信された第一の会員識別子を取得する。
【００７３】
（ステップＳ４０３）会員情報更新部１１３は、カウンタｉに１を代入する。
【００７４】
（ステップＳ４０４）会員情報更新部１１３は、ｉ番目の他の会員情報管理装置が存在するか否かを判断する。ｉ番目の他の会員情報管理装置が存在すればステップＳ４０５に行き、ｉ番目の他の会員情報管理装置が存在しなければステップＳ４０１に戻る。なお、他の会員情報管理装置とは、第一会員情報変更情報等を送信してきた第一会員情報管理装置１２以外の会員情報管理装置である。会員情報更新部１１３は、通常、会員対応情報格納部１１１において、第一の会員識別子に対応する、ｉ番目の他の会員識別子の存在の有無により、ｉ番目の他の会員情報管理装置が存在するか否かを判断する。また、会員情報更新部１１３は、例えば、会員情報管理装置の数を格納しており、当該会員情報管理装置の数を用いて、ｉ番目の他の会員情報管理装置が存在するか否かを判断するなどしても良い。
【００７５】
（ステップＳ４０５）会員情報更新部１１３は、ｉ番目の他の会員情報管理装置の会員識別子であり、ステップＳ４０２で取得した第一の会員識別子と対になる会員識別子が、会員対応情報格納部１１１の１以上の会員対応情報から取得できるか否かを判断する。ｉ番目の他の会員情報管理装置の会員識別子であり、第一の会員識別子と対になる会員識別子を取得できる場合はステップＳ４０６に行き、取得できない場合はステップＳ４１１に行く。
【００７６】
（ステップＳ４０６）会員情報更新部１１３は、第一の会員識別子に対応する、ｉ番目の他の会員情報管理装置の会員識別子を、会員対応情報格納部１１１の会員対応情報を用いて取得する。
【００７７】
（ステップＳ４０７）会員情報更新部１１３は、ｉ番目の他の会員情報管理装置の会員識別子に対応する会員情報の更新のための処理を行う。会員情報の更新のための処理は、例えば、ｉ番目の最新会員情報更新情報を構成し、当該ｉ番目の最新会員情報更新情報とｉ番目の他の会員情報管理装置の会員識別子とを送信する処理である。なお、ｉ番目の最新会員情報更新情報とは、ｉ番目の他の会員情報管理装置の会員情報を更新するための情報である。ｉ番目の最新会員情報更新情報は、例えば、第一会員情報の中で更新された情報のうち、ｉ番目の他の会員情報管理装置の会員情報で使用されている情報と、当該情報の属性名とを有する。
【００７８】
（ステップＳ４０８）コード生成部１１４は、第一会員情報変更情報受信部１１２が受信した第一会員情報変更情報に対応するユニークなコードを生成する。なお、コードは、ｉ番目の他の会員情報管理装置で使用される会員情報に対応するコードである。
【００７９】
（ステップＳ４０９）電子会員証構成部１１５は、ステップＳ４０８で生成されたコードを用いて、電子会員証を構成する。
【００８０】
（ステップＳ４１０）電子会員証出力部１１６は、ステップＳ４０９で構成された電子会員証を送信する。ここでの送信は、例えば、ｉ番目の会員情報管理装置、ユーザの端末装置等である。
【００８１】
（ステップＳ４１１）会員情報更新部１１３は、カウンタｉを１、インクリメントする。ステップＳ４０４に戻る。
【００８２】
なお、図４のフローチャートにおいて、電源オフや処理終了の割り込みにより処理は終了する。
【００８３】
次に、第一会員情報管理装置１２の動作について、図５のフローチャートを用いて説明する。
【００８４】
（ステップＳ５０１）第一受付部１２２は、第一会員情報を受け付けたか否かを判断する。第一会員情報を受け付けた場合はステップＳ５０２に行き、第一会員情報を受け付けない場合はステップＳ５０４に行く。なお、ここでの第一会員情報の受け付けは、通常、会員登録時の第一会員情報の受け付けである。
【００８５】
（ステップＳ５０２）第一処理部１２３は、ステップＳ５０１で受け付けられた第一会員情報を用いて、蓄積する第一会員情報を構成する。第一処理部１２３は、例えば、第一会員情報を会員情報管理表に蓄積するＳＱＬ文を構成する。
【００８６】
（ステップＳ５０３）第一処理部１２３は、ステップＳ５０２で構成した第一会員情報を第一会員情報格納部１２１に蓄積する。ステップＳ５０１に戻る。第一処理部１２３は、例えば、構成されたＳＱＬ文を実行する。
【００８７】
（ステップＳ５０４）第一受付部１２２は、第一会員情報の変更指示を受け付けたか否かを判断する。第一会員情報の変更指示を受け付ければステップＳ５０５に行き、第一会員情報の変更指示を受け付けなければステップＳ５０８に行く。
【００８８】
（ステップＳ５０５）第一処理部１２３は、ステップＳ５０４で受け付けられた第一会員情報の変更指示に応じて、第一会員情報格納部１２１に格納されている第一会員情報を変更する。
【００８９】
（ステップＳ５０６）第一処理部１２３は、ステップＳ５０４で受け付けられた第一会員情報の変更指示に対応して、第一会員情報変更情報を構成する。
【００９０】
（ステップＳ５０７）第一送信部１２４は、第一処理部１２３が構成した第一会員情報変更情報をサーバ装置１１に送信する。ステップＳ５０１に戻る。
【００９１】
（ステップＳ５０８）第一受付部１２２は、その他の指示等を受け付けたか否かを判断する。その他の指示等を受け付けた場合はステップＳ５０９に行き、その他の指示等を受け付けない場合はステップＳ５０１に戻る。
【００９２】
（ステップＳ５０９）第一処理部１２３等は、その他の指示等に応じた処理を行う。ステップＳ５０１に戻る。
【００９３】
なお、図５のフローチャートにおいて、電源オフや処理終了の割り込みにより処理は終了する。
【００９４】
次に、他の会員情報管理装置の動作について、図６のフローチャートを用いて説明する。他の会員情報管理装置は、例えば、第二会員情報管理装置１３である。ここでは、他の会員情報管理装置として、第二会員情報管理装置１３を例として、他の会員情報管理装置の動作を説明する。
【００９５】
（ステップＳ６０１）第二受付部１３２は、第二最新会員情報構成情報を受信したか否かを判断する。第二最新会員情報構成情報を受信した場合はステップＳ６０２に行き、第二最新会員情報構成情報を受信しない場合はステップＳ６０４に行く。
【００９６】
（ステップＳ６０２）第二処理部１３３は、第二最新会員情報構成情報を用いて、更新する第二会員情報を構成する。なお、更新する第二会員情報は、更新する情報を含む第二会員情報のすべてでも良いし、第二会員情報のうちの更新する情報のみ等でも良い。また、更新する第二会員情報は、第二会員情報を更新するためのＳＱＬ文でも良い。
【００９７】
（ステップＳ６０３）第二処理部１３３は、更新する第二会員情報を用いて、第二会員情報格納部１３１の第二会員情報を更新する。ステップＳ６０１に戻る。
【００９８】
（ステップＳ６０４）第二受付部１３２は、その他の指示等を受け付けたか否かを判断する。その他の指示等を受け付けた場合はステップＳ６０５に行き、その他の指示等を受け付けない場合はステップＳ６０１に戻る。
【００９９】
（ステップＳ６０５）第二処理部１３３等は、その他の指示等に応じた処理を行う。ステップＳ６０１に戻る。
【０１００】
なお、図６のフローチャートにおいて、電源オフや処理終了の割り込みにより処理は終了する。
【０１０１】
以下、本実施の形態における会員情報管理システム１の具体的な動作について説明する。会員情報管理システム１の概念図は図１である。ここでの会員情報管理システム１は、サーバ装置１１、第一会員情報管理装置１２、第二会員情報管理装置１３、第三会員情報管理装置（図示しない）を有する、とする。
【０１０２】
今、サーバ装置１１の会員対応情報格納部１１１は、図７に示す会員対応情報管理表を保持している。会員対応情報管理表は、「ＩＤ」「第一の会員識別子」「第二の会員識別子」「第三の会員識別子」を有するレコードを１以上管理している。「ＩＤ」は、レコードを識別する情報である。「第一の会員識別子」「第二の会員識別子」「第三の会員識別子」により、最大３つの会員情報管理装置で管理されている会員情報に対する会員識別子を対応付ける。「第一の会員識別子」は、第一会員情報管理装置１２で管理されている第一会員情報を識別する情報である。「第二の会員識別子」は、第二会員情報管理装置１３で管理されている第二会員情報を識別する情報である。「第三の会員識別子」は、第三会員情報管理装置で管理されている第三会員情報を識別する情報である。なお、図７の会員対応情報管理表が示すように、ユーザは、３つの会員情報管理装置に対応するすべての会員になっている必要はないことは言うまでもない。
【０１０３】
また、本具体例において、例えば、第一会員情報管理装置１２は、レンタルレコード屋の会員の会員情報を管理する装置である。また、第二会員情報管理装置１３は、航空会社の会員の会員情報を管理する装置である。さらに、第三会員情報管理装置は、コンビニエンスストアの会員の会員情報を管理する装置である。また、レンタルレコード屋、航空会社、およびコンビニエンスストアのそれぞれで、異なる会員証が発行されている、とする。
【０１０４】
また、会員対応情報格納部１１１または図示しない属性対応情報格納部は、図８に示す属性対応情報管理表も保持している、とする。属性対応情報管理表は、第一会員情報管理装置１２、第二会員情報管理装置１３、および第三会員情報管理装置が格納している各会員情報管理表の属性名の対応を管理する表である。属性対応情報管理表は、「ＩＤ」「属性対応情報」を有するレコードを１以上管理している。「ＩＤ」は、レコードを識別する情報である。「属性対応情報」は、第一会員情報管理装置１２で管理されている第一会員情報を構成する属性値の属性名と第二会員情報管理装置１３で管理されている第二会員情報を構成する属性値の属性名との対応を示す情報である。ここでは、第一会員情報管理装置１２で管理されている第一会員情報を構成する属性値の属性名と、第三会員情報管理装置で管理されている第三会員情報を構成する属性値の属性名とは、完全に合致する、とする。従って、第一会員情報管理装置１２で管理されている第一会員情報を構成する属性値の属性名と、第三会員情報管理装置で管理されている第三会員情報を構成する属性値の属性名との対応は管理されていない。また、「属性対応情報」は、第三会員情報管理装置で管理されている第三会員情報を構成する属性値の属性名と、第二会員情報管理装置１３で管理されている第二会員情報を構成する属性値の属性名との対応を示す情報である、とも言える。
【０１０５】
また、第一会員情報管理装置１２の第一会員情報格納部１２１は、図９に示す第一会員情報管理表を保持している、とする。第一会員情報管理表は、「ＩＤ」「第一の会員識別子」「第一会員情報」を有するレコードを１以上管理している。「第一会員情報」は、「氏名」「年令」「メールアドレス」「住所」などの属性値を有する。「ＩＤ」は、レコードを識別する情報である。
【０１０６】
また、第二会員情報管理装置１３の第二会員情報格納部１３１は、図１０に示す第二会員情報管理表を保持している、とする。第二会員情報管理表は、「ＩＤ」「第二の会員識別子」「第二会員情報」を有するレコードを１以上管理している。「第二会員情報」は、「名前」「性別」「お住まい」「ｅ−ｍａｉｌ」などの属性値を有する。「ＩＤ」は、レコードを識別する情報である。「お住まい」は住所が格納される属性である。「ｅ−ｍａｉｌ」はメールアドレスが格納される属性である。
【０１０７】
さらに、第三会員情報管理装置の第三会員情報格納部は、図１１に示す第三会員情報管理表を保持している、とする。第三会員情報管理表は、「ＩＤ」「第三の会員識別子」「第三会員情報」を有するレコードを１以上管理している。「第三会員情報」は、「氏名」「年令」「メールアドレス」「住所」などの属性値を有する。「ＩＤ」は、レコードを識別する情報である。
【０１０８】
かかる状況において、以下の２つの具体例について説明する。具体例１は、一つの会員情報の変更が、他の複数（ここでは２つ）の会員情報管理装置の会員情報に反映される場合である。そして、具体例１において、図８に示す属性対応情報管理表を利用する場合と利用しない場合とを説明する。また、具体例１は、コードや電子会員証の生成は、第二会員情報管理装置１３等の会員情報管理装置で行われる場合である。
【０１０９】
また、具体例２は、一つの会員情報の変更が、他の一つの会員情報管理装置の会員情報に反映される場合である。具体例２は、コードや電子会員証の生成は、サーバ装置１１で行われる場合である。
【０１１０】
（具体例１）
ユーザ「山田Ａ子」は、自分の端末装置を用いて、第一の会員識別子「１００１」を用いて、第一会員情報管理装置１２にアクセスし、自分の第一会員情報を構成するメールアドレスを「ｙａ＠ｘｘ．ｃｏｍ」から、「ａｙａｍａｄａ＠ｒ．ｊｐ」に変更するための入力を行った、とする。すると、ユーザ「山田Ａ子」の端末装置は、「第一の会員識別子：１００１,メールアドレス：ａｙａｍａｄａ＠ｒ．ｊｐ」を含む第一会員情報の変更指示を受け付ける。次に、ユーザ「山田Ａ子」の端末装置は、当該第一会員情報の変更指示を第一会員情報管理装置１２に送信する。
【０１１１】
次に、第一会員情報管理装置１２の第一受付部１２２は、第一会員情報の変更指示を、ユーザ「山田Ａ子」の端末装置から受信する。なお、当該変更指示は、「第一の会員識別子：１００１,メールアドレス：ａｙａｍａｄａ＠ｒ．ｊｐ」を含む。
【０１１２】
次に、第一処理部１２３は、ステップＳ５０４で受け付けられた第一会員情報の変更指示に応じて、第一の会員識別子「１００１」と対になるメールアドレスを「ａｙａｍａｄａ＠ｒ．ｊｐ」に変更する。つまり、第一処理部１２３は、図９の第一会員情報管理表のレコードのうち、第一の会員識別子「１００１」に合致する「ＩＤ＝１」のレコードのメールアドレスを「ｙａ＠ｘｘ．ｃｏｍ」から「ａｙａｍａｄａ＠ｒ．ｊｐ」に変更する。
【０１１３】
次に、第一処理部１２３は、第一会員情報の変更指示に対応して、第一会員情報変更情報を取得する。ここで、第一会員情報変更情報は、「メールアドレス：ａｙａｍａｄａ＠ｒ．ｊｐ」である、とする。また、第一処理部１２３は、第一の会員識別子「１００１」を取得する。
【０１１４】
次に、第一送信部１２４は、第一処理部１２３が取得した第一の会員識別子「１００１」と第一会員情報変更情報「メールアドレス：ａｙａｍａｄａ＠ｒ．ｊｐ」とをサーバ装置１１に送信する。
【０１１５】
次に、サーバ装置１１の第一会員情報変更情報受信部１１２は、第一の会員識別子「１００１」と第一会員情報変更情報「メールアドレス：ａｙａｍａｄａ＠ｒ．ｊｐ」とを、第一会員情報管理装置１２から受信する。
【０１１６】
次に、会員情報更新部１１３は、受信された第一の会員識別子「１００１」を取得する。
【０１１７】
次に、会員情報更新部１１３は、１番目の他の会員情報管理装置の会員識別子であり、第一の会員識別子「１００１」と対になる第二の会員識別子「２０２８」を、会員対応情報管理表（図７）から取得する。
【０１１８】
次に、会員情報更新部１１３は、２番目の他の会員情報管理装置の会員識別子であり、第一の会員識別子「１００１」と対になる第三の会員識別子「３１２９」を、会員対応情報管理表（図７）から取得する。
【０１１９】
次に、会員情報更新部１１３は、第一会員情報変更情報「メールアドレス：ａｙａｍａｄａ＠ｒ．ｊｐ」の属性名「メールアドレス」に対応する属性名「ｅ−ｍａｉｌ」を、図８に示す属性対応情報管理表から取得する。次に、会員情報更新部１１３は、第二の会員識別子「２０２８」と属性名「ｅ−ｍａｉｌ」と第一会員情報変更情報が有する「ａｙａｍａｄａ＠ｒ．ｊｐ」とを用いて、第二最新会員情報構成情報「第二の会員識別子：２０２８，ｅ−ｍａｉｌ：ａｙａｍａｄａ＠ｒ．ｊｐ」を構成する。
【０１２０】
また、次に、会員情報更新部１１３は、第二最新会員情報構成情報「第二の会員識別子：２０２８，ｅ−ｍａｉｌ：ａｙａｍａｄａ＠ｒ．ｊｐ」を第二会員情報管理装置１３に送信する。
【０１２１】
次に、会員情報更新部１１３は、第一会員情報変更情報「メールアドレス：ａｙａｍａｄａ＠ｒ．ｊｐ」の属性名「メールアドレス」と第三会員情報の属性名とが同じであるので、図８に示す属性対応情報管理表を参照せずに、第三の会員識別子「３１２９」と第一会員情報変更情報「メールアドレス：ａｙａｍａｄａ＠ｒ．ｊｐ」とを用いて、第二最新会員情報構成情報「第三の会員識別子：３１２９，メールアドレス：ａｙａｍａｄａ＠ｒ．ｊｐ」を構成する。
【０１２２】
次に、会員情報更新部１１３は、第三最新会員情報構成情報「第三の会員識別子：３１２９，メールアドレス：ａｙａｍａｄａ＠ｒ．ｊｐ」を第三会員情報管理装置に送信する。
【０１２３】
次に、第二会員情報管理装置１３の第二受付部１３２は、第二最新会員情報構成情報「第二の会員識別子：２０２８，ｅ−ｍａｉｌ：ａｙａｍａｄａ＠ｒ．ｊｐ」を、サーバ装置１１から受信する。
【０１２４】
次に、第二処理部１３３は、第二最新会員情報構成情報を用いて、図１０の第二会員情報管理表のレコードのうち、第二の会員識別子「２０２８」と対になるｅ−ｍａｉｌの属性値を「ａｙａｍａｄａ＠ｒ．ｊｐ」に更新する。
【０１２５】
次に、第二処理部１３３は、新しいｅ−ｍａｉｌ「ａｙａｍａｄａ＠ｒ．ｊｐ」を用いて、ユーザ「山田Ａ子」の電子会員証で使用される新しいコードである新しい二次元バーコードを生成した、とする。なお、生成された二次元バーコードは、ユーザ「山田Ａ子」の個人情報が埋め込まれている、とする。なお、二次元バーコードに埋め込む情報を用いて、二次元バーコードを生成する処理は公知技術である。
【０１２６】
次に、第二処理部１３３は、生成された二次元バーコードを用いて、新しい電子会員証を構成する。第二処理部１３３は、例えば、保持している電子会員証の雛形に、ユーザの氏名「山田Ａ子」と生成された二次元バーコードを、予め決められた位置に配置して、新しい電子会員証を構成する。
【０１２７】
そして、第二送信部１３４は、ｅ−ｍａｉｌ「ａｙａｍａｄａ＠ｒ．ｊｐ」宛てに、新しい電子会員証を送信する。
【０１２８】
次に、ユーザ「山田Ａ子」の端末装置は、新しい電子会員証を受信し、蓄積する。そして、ユーザ「山田Ａ子」は、航空会社のサービスを利用する場合に、図１２に示すように、新しい電子会員証を出力する。図１２は、新しい電子会員証の出力例である。
【０１２９】
以上により、第一会員情報管理装置１２における会員情報の変更により、第二会員情報管理装置１３の会員情報も自動的に変更された。また、第二会員情報管理装置１３の会員情報の変更により、新しい電子会員証も作成された。
【０１３０】
次に、第三会員情報管理装置の第三受付部は、第三最新会員情報構成情報「第三の会員識別子：３１２９，メールアドレス：ａｙａｍａｄａ＠ｒ．ｊｐ」を、サーバ装置１１から受信する。
【０１３１】
次に、第三会員情報管理装置の第三処理部は、第三最新会員情報構成情報を用いて、図１１の第三会員情報管理表のレコードのうち、第三の会員識別子「３１２９」と対になるメールアドレスの属性値を「ａｙａｍａｄａ＠ｒ．ｊｐ」に更新する。
【０１３２】
次に、第三処理部は、新しいメールアドレス「ａｙａｍａｄａ＠ｒ．ｊｐ」を用いて、ユーザ「山田Ａ子」の電子会員証で使用される新しいコードである新しいバーコードを生成した、とする。なお、生成されたバーコードは、ユーザ「山田Ａ子」の個人情報が埋め込まれている、とする。
【０１３３】
次に、第三処理部は、生成された二次元バーコードを用いて、新しい電子会員証を構成する。
【０１３４】
そして、第三送信部は、メールアドレス「ａｙａｍａｄａ＠ｒ．ｊｐ」宛てに、新しい電子会員証を送信する。
【０１３５】
次に、ユーザ「山田Ａ子」の端末装置は、新しい電子会員証を受信し、蓄積する。そして、ユーザ「山田Ａ子」は、コンビニエンスストアのサービスを利用する場合に、図１３に示すように、新しい電子会員証を出力する。図１３は、新しい電子会員証の出力例である。
【０１３６】
以上、具体例１によれば、第一会員情報管理装置１２における会員情報の変更により、第三会員情報管理装置の会員情報も自動的に変更された。また、第三会員情報管理装置の会員情報の変更により、新しい電子会員証も作成された。
【０１３７】
なお、具体例１において、サーバ装置１１のコード生成部１１４がコードを生成し、電子会員証構成部１１５が電子会員証を構成して、第二会員情報管理装置１３や第ｎ会員情報管理装置１ｍ、またはユーザの端末装置に電子会員証を送信しても良い。
【０１３８】
（具体例２）
ユーザ「田中Ｂ夫」は、自分の端末装置を用いて、第一の会員識別子「１００２」を用いて、第一会員情報管理装置１２にアクセスし、自分の第一会員情報を構成する住所を「東京都新宿区・・・」から、「神奈川県横浜市・・・」に変更するための入力を行った、とする。すると、ユーザ「田中Ｂ夫」の端末装置は、「第一の会員識別子：１００２, 住所：神奈川県横浜市・・・」を含む第一会員情報の変更指示を受け付ける。次に、ユーザ「田中Ｂ夫」の端末装置は、当該第一会員情報の変更指示を第一会員情報管理装置１２に送信する。
【０１３９】
次に、第一会員情報管理装置１２の第一受付部１２２は、第一会員情報の変更指示を、ユーザ「田中Ｂ夫」の端末装置から受信する。なお、当該変更指示は、「第一の会員識別子：１００２, 住所：神奈川県横浜市・・・」を含む。
【０１４０】
次に、第一処理部１２３は、第一会員情報の変更指示に対応して、第一会員情報変更情報を取得する。ここで、第一会員情報変更情報は、「住所：神奈川県横浜市・・・」である、とする。また、第一処理部１２３は、第一の会員識別子「１００２」を取得する。
【０１４１】
次に、第一送信部１２４は、第一処理部１２３が取得した第一の会員識別子「１００２」と第一会員情報変更情報「住所：神奈川県横浜市・・・」とをサーバ装置１１に送信する。
【０１４２】
次に、サーバ装置１１の第一会員情報変更情報受信部１１２は、第一の会員識別子「１００２」と第一会員情報変更情報「住所：神奈川県横浜市・・・」とを、第一会員情報管理装置１２から受信する。
【０１４３】
次に、会員情報更新部１１３は、受信された第一の会員識別子「１００２」を取得する。
【０１４４】
次に、会員情報更新部１１３は、１番目の他の会員情報管理装置の会員識別子であり、第一の会員識別子「１００２」と対になる第二の会員識別子「２００８」を、会員対応情報管理表（図７）から取得する。
【０１４５】
次に、会員情報更新部１１３は、２番目の他の会員情報管理装置の会員識別子であり、第一の会員識別子「１００２」と対になる第三の会員識別子を、会員対応情報管理表（図７）から取得しようするが、取得できない。
【０１４６】
次に、会員情報更新部１１３は、第一会員情報変更情報「住所：神奈川県横浜市・・・」の属性名「住所」に対応する属性名「お住まい」を、図８に示す属性対応情報管理表から取得する。次に、会員情報更新部１１３は、第二の会員識別子「２００８」と属性名「お住まい」と第一会員情報変更情報が有する「神奈川県横浜市・・・」とを用いて、第二最新会員情報構成情報「第二の会員識別子：２００８，お住まい：神奈川県横浜市・・・」を構成する。
【０１４７】
次に、会員情報更新部１１３は、第二の会員識別子「２００８」をキーとして、第二会員情報管理装置１３を検索し、ユーザ「田中Ｂ夫」の古い会員情報を取得する。
【０１４８】
そして、会員情報更新部１１３は、古い会員情報のうちのお住まいを「神奈川県横浜市・・・」に変更した新しい第二会員情報を構成する。
【０１４９】
次に、コード生成部１１４は、新しい第二会員情報を用いて、新しいコードを生成する。次に、電子会員証構成部１１５は、新しいコードを用いて、新しい電子会員証を構成する。
【０１５０】
また、次に、会員情報更新部１１３は、新しい第二会員情報、新しいコード、新しい電子会員証を第二会員情報管理装置１３に送信する。なお、新しいコードや新しい電子会員証は、新しい第二会員情報に含まれていても良い。そして、ここで、新しい第二会員情報、新しいコード、新しい電子会員証を有する情報を第二最新会員情報構成情報である、とする。
【０１５１】
第二会員情報管理装置１３の第二受付部１３２は、サーバ装置１１から第二最新会員情報構成情報を受信する。なお、第二最新会員情報構成情報は、新しい第二会員情報、新しいコード、新しい電子会員証を有する。
【０１５２】
次に、第二処理部１３３は、第二最新会員情報構成情報を用いて、更新する第二会員情報を構成する。
【０１５３】
次に、第二処理部１３３は、更新する第二会員情報を用いて、第二会員情報管理表（図１０）の第二の会員識別子「２００８」と対になる第二会員情報を更新する。そして、第二処理部１３３は、新しいコード、新しい電子会員証をも、第二の会員識別子「２００８」と対にして、蓄積する。
【０１５４】
次に、第二送信部１３４は、新しい電子会員証を、ユーザ「田中Ｂ夫」の端末装置に送信する。
【０１５５】
次に、ユーザ「田中Ｂ夫」の端末装置は、新しい電子会員証を受信し、蓄積する。そして、ユーザ「田中Ｂ夫」は、航空会社のサービスを利用する場合に、新しい電子会員証を出力する。新しい電子会員証の出力例は、図１２である。
【０１５６】
以上、本実施の形態によれば、一のユーザの異なる会員情報が、各会員情報を管理する複数の装置に存在する場合に、一のユーザの一の会員情報が変更された際に、自動的に当該一のユーザの他の会員情報も変更できる。
【０１５７】
また、本実施の形態によれば、自動的に変更された会員情報に対応する会員のコードを生成できる。
【０１５８】
さらに、本実施の形態によれば、自動的に変更された会員情報に対応する会員の電子会員証を構成できる。
【０１５９】
なお、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における情報処理装置を実現するソフトウェアは、以下のようなプログラムである。つまり、このプログラムは、コンピュータを、第一の会員識別子と当該第一の会員識別子で識別される会員の第一会員情報の変更に関する情報である第一会員情報変更情報とを受信する第一会員情報変更情報受信部と、前記第一会員情報変更情報受信部が受信した第一の会員識別子に対応する第二の会員識別子と対になる第二会員情報を、前記第一会員情報変更情報受信部が受信した第一会員情報変更情報を用いて更新するための処理を行う会員情報更新部として機能させるためのプログラムである。
【０１６０】
コンピュータがアクセス可能な記録媒体は、第一の会員識別子と第二の会員識別子とを対応付ける情報である１または２以上の会員対応情報を格納し得る会員対応情報格納部を具備し、上記プログラムにおいて、前記会員情報更新部は、前記第一会員情報変更情報受信部が受信した第一の会員識別子に対応する第二の会員識別子を、前記会員対応情報格納部から取得し、当該第二の会員識別子と対になる第二会員情報を、前記第一会員情報変更情報受信部が受信した第一会員情報変更情報を用いて更新するための処理を行うものとして、コンピュータを機能させるプログラムであることは好適である。
【０１６１】
上記プログラムにおいて、前記第二会員情報は、会員を識別するコードを有し、前記第一会員情報変更情報受信部が受信した第一会員情報変更情報に対応するユニークなコードを生成するコード生成部としてコンピュータをさらに機能させ、前記会員情報更新部は、前記第一会員情報変更情報受信部が受信した第一の会員識別子に対応する第二の会員識別子と対になる第二会員情報を、前記第一会員情報変更情報受信部が受信した第一会員情報変更情報と前記コード生成部が生成したコードとを用いて更新するものとして、コンピュータを機能させるプログラムであることは好適である。
【０１６２】
上記プログラムにおいて、前記コード生成部が生成するコードを用いて、電子会員証を構成する電子会員証構成部と、前記電子会員証を出力する電子会員証出力部として、コンピュータをさらに機能させるプログラムであることは好適である。
【０１６３】
（実施の形態２）
本実施の形態において、サーバ装置が会員情報を管理する機能を有する場合である。そして、サーバ装置が、第一会員情報管理装置から第一会員情報変更情報を受信した場合に、管理している会員情報を変更する会員情報管理システムについて説明する。
【０１６４】
なお、本実施の形態において、実施の形態１との主な相違点は、サーバ装置が会員情報を管理する機能を有することである。
【０１６５】
図１４は、本実施の形態における会員情報管理システム２の概念図である。会員情報管理システム２は、サーバ装置２１、および第一会員情報管理装置１２を備える。
【０１６６】
図１５は、本実施の形態における会員情報管理システム２のブロック図である。サーバ装置２１は、会員対応情報格納部１１１、第二会員情報格納部１３１、第一会員情報変更情報受信部１１２、会員情報更新部２１３、コード生成部１１４、電子会員証構成部１１５、および電子会員証出力部２１６を備える。
【０１６７】
サーバ装置２１を構成する会員情報更新部２１３は、第一会員情報変更情報受信部１１２が受信した第一の会員識別子に対応する第二の会員識別子と対になる第二会員情報を、第一会員情報変更情報受信部１１２が受信した第一会員情報変更情報を用いて更新するための処理を行う。なお、第二会員情報は、第二会員情報格納部１３１に格納されている会員情報である。また、更新するための処理は、第二会員情報格納部１３１に格納されている第二会員情報の更新である。
【０１６８】
会員情報更新部２１３は、例えば、第一会員情報変更情報受信部１１２が受信した第一の会員識別子に対応する第二の会員識別子を取得する。そして、会員情報更新部２１３は、例えば、当該第二の会員識別子と対になる第二会員情報を、第一会員情報変更情報受信部１１２が受信した第一会員情報変更情報を用いて更新する。なお、会員情報更新部２１３は、会員対応情報格納部１１１に格納されている１以上の会員対応情報を用いて、第一の会員識別子に対応する第二の会員識別子を取得する。
【０１６９】
会員情報更新部２１３は、第一会員情報変更情報受信部１１２が受信した第一の会員識別子に対応する第二の会員識別子と対になる第二会員情報を、第一会員情報変更情報受信部１１２が受信した第一会員情報変更情報とコード生成部１１４が生成したコードとを用いて更新する。
【０１７０】
会員情報更新部２１３は、通常、ＭＰＵやメモリ等から実現され得る。会員情報更新部２１３の処理手順は、通常、ソフトウェアで実現され、当該ソフトウェアはＲＯＭ等の記録媒体に記録されている。但し、ハードウェア（専用回路）で実現しても良い。
【０１７１】
電子会員証出力部２１６は、電子会員証構成部１１５が構成した電子会員証を出力する。ここで、出力とは、通常、ユーザの端末装置（図示しない）への送信である。電子会員証出力部２１６は、電子会員証構成部１１５が構成した電子会員証を蓄積等しても良い。
【０１７２】
電子会員証出力部２１６は、通常、無線または有線の通信手段により実現され得る。
【０１７３】
次に、会員情報管理システム２の動作について説明する。まず、サーバ装置２１の動作について、図１６のフローチャートを用いて説明する。図１６のフローチャートにおいて、図４のフローチャートと異なるステップについて説明する。
【０１７４】
（ステップＳ１６０１）会員情報更新部２１３は、ステップＳ４０２で取得した第一の会員識別子と対になる第二の会員識別子を、会員対応情報格納部１１１の１以上の会員対応情報を用いて取得する。
【０１７５】
（ステップＳ１６０２）会員情報更新部１１３は、ステップＳ４０１で受信された第一会員情報変更情報を用いて、ステップＳ１６０１で取得された第二の会員識別子と対になる第二会員情報を更新する。
【０１７６】
（ステップＳ１６０３）コード生成部１１４は、ステップＳ１６０２で更新された第二会員情報に対応するユニークなコードを生成する。
【０１７７】
（ステップＳ１６０４）電子会員証構成部１１５は、ステップＳ１６０３で生成されたコードを用いて、電子会員証を構成する。
【０１７８】
（ステップＳ１６０５）電子会員証出力部１１６は、ステップＳ１６０４で構成された電子会員証を送信する。ここでの送信は、例えば、ユーザの端末装置、ｉ番目の会員情報管理装置等への送信である。
【０１７９】
（ステップＳ１６０６）サーバ装置２１は、その他の指示等を受け付けたか否かを判断する。その他の指示等を受け付けた場合はステップＳ１６０７に行き、その他の指示等を受け付けない場合はステップＳ４０１に戻る。
【０１８０】
（ステップＳ１６０７）サーバ装置２１は、その他の指示等に応じた処理を行う。ステップＳ４０１に戻る。
【０１８１】
なお、図１６のフローチャートのステップＳ１６０３において、コード生成部１１４は、第一会員情報変更情報を用いて、コードを生成するか否かを判断し、生成するとの判断結果であった場合のみ、コードを生成しても良い。つまり、コード生成部１１４は、会員情報を構成する属性値のうち、コードに含まれる属性値が変更された場合のみ、コードを生成すると判断しても良い。なお、かかる場合、コード生成部１１４は、会員情報を構成する属性値の属性名を保持している、とする。
【０１８２】
また、図１６のフローチャートにおいて、電源オフや処理終了の割り込みにより処理は終了する。
【０１８３】
以下、本実施の形態における会員情報管理システム２の具体的な動作について説明する。会員情報管理システム２の概念図は図１４である。
【０１８４】
今、サーバ装置２１の会員対応情報格納部１１１は、図７に示す会員対応情報管理表のうち、「ＩＤ」「第一の会員識別子」「第二の会員識別子」のみを有するレコードを保持している、とする。また、会員対応情報格納部１１１は、図８に示す属性対応情報管理表も保持している、とする。
【０１８５】
また、本具体例において、例えば、第一会員情報管理装置１２は、レンタルレコード店の会員の会員情報を管理する装置である。また、第二会員情報管理装置１３は、航空会社の会員の会員情報を管理する装置である、とする。
【０１８６】
また、第一会員情報管理装置１２の第一会員情報格納部１２１は、図９に示す第一会員情報管理表を保持している、とする。
【０１８７】
また、第二会員情報管理装置１３の第二会員情報格納部１３１は、図１０に示す第二会員情報管理表を保持している、とする。
【０１８８】
さらに、コード生成部１１４は、新しい電子会員証を構成する条件として、属性名「名前」「ｅ−ｍａｉｌ」を保持している、とする。つまり、航空会社の電子会員証には、第二の会員識別子、名前、ｅ−ｍａｉｌの各属性値が埋め込まれており、名前またはｅ−ｍａｉｌの属性値が変更になった場合には、新しい電子会員証が構成される、とする。
【０１８９】
かかる状況において、以下の具体例について説明する。
【０１９０】
ユーザ「山田Ａ子」は、自分の端末装置を用いて、第一の会員識別子「１００１」を用いて、第一会員情報管理装置１２にアクセスし、自分の第一会員情報を構成するメールアドレスを「ｙａ＠ｘｘ．ｃｏｍ」から、「ａｙａｍａｄａ＠ｒ．ｊｐ」に変更するための入力を行った、とする。すると、ユーザ「山田Ａ子」の端末装置は、「第一の会員識別子：１００１,メールアドレス：ａｙａｍａｄａ＠ｒ．ｊｐ」を含む第一会員情報の変更指示を受け付ける。次に、ユーザ「山田Ａ子」の端末装置は、当該第一会員情報の変更指示を第一会員情報管理装置１２に送信する。
【０１９１】
次に、第一会員情報管理装置１２の第一受付部１２２は、第一会員情報の変更指示を、ユーザ「山田Ａ子」の端末装置から受信する。なお、当該変更指示は、「第一の会員識別子：１００１,メールアドレス：ａｙａｍａｄａ＠ｒ．ｊｐ」を含む。
【０１９２】
次に、第一処理部１２３は、ステップＳ５０４で受け付けられた第一会員情報の変更指示に応じて、第一の会員識別子「１００１」と対になるメールアドレスを「ａｙａｍａｄａ＠ｒ．ｊｐ」に変更する。つまり、第一処理部１２３は、図９の第一会員情報管理表のレコードのうち、第一の会員識別子「１００１」に合致する「ＩＤ＝１」のレコードのメールアドレスを「ｙａ＠ｘｘ．ｃｏｍ」から「ａｙａｍａｄａ＠ｒ．ｊｐ」に変更する。
【０１９３】
次に、第一処理部１２３は、第一会員情報の変更指示に対応して、第一会員情報変更情報を取得する。ここで、第一会員情報変更情報は、「メールアドレス：ａｙａｍａｄａ＠ｒ．ｊｐ」である、とする。また、第一処理部１２３は、第一の会員識別子「１００１」を取得する。
【０１９４】
次に、第一送信部１２４は、第一処理部１２３が取得した第一の会員識別子「１００１」と第一会員情報変更情報「メールアドレス：ａｙａｍａｄａ＠ｒ．ｊｐ」とをサーバ装置２１に送信する。
【０１９５】
次に、サーバ装置２１の第一会員情報変更情報受信部１１２は、第一の会員識別子「１００１」と第一会員情報変更情報「メールアドレス：ａｙａｍａｄａ＠ｒ．ｊｐ」とを、第一会員情報管理装置１２から受信する。
【０１９６】
次に、会員情報更新部１１３は、受信された第一の会員識別子「１００１」を取得する。
【０１９７】
次に、会員情報更新部１１３は、１番目の他の会員情報管理装置の会員識別子であり、第一の会員識別子「１００１」と対になる第二の会員識別子「２０２８」を、会員対応情報管理表（図７）から取得する。
【０１９８】
次に、会員情報更新部１１３は、第一会員情報変更情報「メールアドレス：ａｙａｍａｄａ＠ｒ．ｊｐ」の属性名「メールアドレス」に対応する属性名「ｅ−ｍａｉｌ」を、図８に示す属性対応情報管理表から取得する。次に、会員情報更新部１１３は、第二の会員識別子「２０２８」と属性名「ｅ−ｍａｉｌ」と第一会員情報変更情報が有する「ａｙａｍａｄａ＠ｒ．ｊｐ」とを用いて、第二最新会員情報構成情報「第二の会員識別子：２０２８，ｅ−ｍａｉｌ：ａｙａｍａｄａ＠ｒ．ｊｐ」を構成する。
【０１９９】
また、次に、会員情報更新部１１３は、図１０の第二会員情報管理表の第二の会員識別子「２０２８」と対になる属性「ｅ−ｍａｉｌ」の属性値を「ａｙａｍａｄａ＠ｒ．ｊｐ」に更新する。
【０２００】
次に、コード生成部１１４は、保持している属性名「名前」「ｅ−ｍａｉｌ」のちの「ｅ−ｍａｉｌ」に対応する属性値が変更になったことを検知し、新しいコードを生成する、と判断する。
【０２０１】
次に、コード生成部１１４は、第二の会員識別子「２０２８」と対になる名前「山田Ａ子」を第二会員情報管理表（図１０）から取得する。
【０２０２】
次に、コード生成部１１４は、第二の会員識別子「２０２８」、名前「山田Ａ子」、ｅ−ｍａｉｌ「ａｙａｍａｄａ＠ｒ．ｊｐ」を用いて、新しいコード（ここでは、二次元バーコード）を生成する。
【０２０３】
次に、電子会員証構成部１１５は、生成された二次元バーコードを用いて、新しい電子会員証を構成する。ここで、新しい電子会員証は、例えば、図１２である。
【０２０４】
そして、電子会員証出力部１１６は、ｅ−ｍａｉｌ「ａｙａｍａｄａ＠ｒ．ｊｐ」宛てに、新しい電子会員証を送信する。
【０２０５】
以上、本実施の形態によれば、一のユーザの異なる会員情報が、各会員情報を管理する複数の装置に存在する場合に、一のユーザの一の会員情報が変更された際に、自動的に当該一のユーザの他の会員情報も変更できる。
【０２０６】
また、本実施の形態によれば、自動的に変更された会員情報に対応する会員のコードを生成できる。
【０２０７】
さらに、本実施の形態によれば、自動的に変更された会員情報に対応する会員の電子会員証を構成できる。
【０２０８】
なお、本実施の形態における情報処理装置を実現するソフトウェアは、以下のようなプログラムである。つまり、このプログラムは、コンピュータを、第一の会員識別子と当該第一の会員識別子で識別される会員の第一会員情報の変更に関する情報である第一会員情報変更情報とを受信する第一会員情報変更情報受信部と、前記第一会員情報変更情報受信部が受信した第一の会員識別子に対応する第二の会員識別子と対になる第二会員情報を、前記第一会員情報変更情報受信部が受信した第一会員情報変更情報を用いて更新するための処理を行う会員情報更新部として機能させるためのプログラムである。
【０２０９】
コンピュータがアクセス可能な記録媒体は、第一の会員識別子と第二の会員識別子とを対応付ける情報である１または２以上の会員対応情報を格納し得る会員対応情報格納部を具備し、上記プログラムにおいて、前記会員情報更新部は、前記第一会員情報変更情報受信部が受信した第一の会員識別子に対応する第二の会員識別子を、前記会員対応情報格納部から取得し、当該第二の会員識別子と対になる第二会員情報を、前記第一会員情報変更情報受信部が受信した第一会員情報変更情報を用いて更新するための処理を行うものとして、コンピュータを機能させるプログラムであることは好適である。
【０２１０】
コンピュータがアクセス可能な記録媒体は、第二の会員識別子と当該第二の会員識別子で識別される会員に関する情報である第二会員情報との組を、１組または２組以上格納し得る第二会員情報格納部を具備し、上記プログラムにおいて、前記会員情報更新部は、前記第一会員情報変更情報受信部が受信した第一の会員識別子に対応する第二の会員識別子と対になる第二会員情報を、前記第一会員情報変更情報受信部が受信した第一会員情報変更情報を用いて更新するものとして、コンピュータを機能させるプログラムであることは好適である。
【０２１１】
上記プログラムにおいて、前記第二会員情報は、会員を識別するコードを有し、前記第一会員情報変更情報受信部が受信した第一会員情報変更情報に対応するユニークなコードを生成するコード生成部としてコンピュータをさらに機能させ、前記会員情報更新部は、前記第二会員情報を構成するコードを、前記コード生成部が生成したコードに更新し、かつ前記第一会員情報変更情報受信部が受信した第一の会員識別子に対応する第二の会員識別子と対になる第二会員情報であり、コードを除く第二会員情報の全部または一部を、前記第一会員情報変更情報受信部が受信した第一会員情報変更情報を用いて更新するための処理を行うものとして、コンピュータを機能させるプログラムであることは好適である。
【０２１２】
上記プログラムにおいて、前記コード生成部が生成するコードを用いて、電子会員証を構成する電子会員証構成部と、前記電子会員証を出力する電子会員証出力部として、コンピュータをさらに機能させるプログラムであることは好適である。
【０２１３】
また、図１７は、本明細書で述べたプログラムを実行して、上述した種々の実施の形態のサーバ装置等を実現するコンピュータの外観を示す。上述の実施の形態は、コンピュータハードウェア及びその上で実行されるコンピュータプログラムで実現され得る。図１７は、このコンピュータシステム３００の概観図であり、図１８は、システム３００のブロック図である。
【０２１４】
図１７において、コンピュータシステム３００は、ＣＤ−ＲＯＭドライブを含むコンピュータ３０１と、キーボード３０２と、マウス３０３と、モニタ３０４とを含む。
【０２１５】
図１８において、コンピュータ３０１は、ＣＤ−ＲＯＭドライブ３０１２に加えて、ＭＰＵ３０１３と、ＭＰＵ３０１３、ＣＤ−ＲＯＭドライブ３０１２に接続されたバス３０１４と、ブートアッププログラム等のプログラムを記憶するためのＲＯＭ３０１５と、ＭＰＵ３０１３に接続され、アプリケーションプログラムの命令を一時的に記憶するとともに一時記憶空間を提供するためのＲＡＭ３０１６と、アプリケーションプログラム、システムプログラム、及びデータを記憶するためのハードディスク３０１７とを含む。ここでは、図示しないが、コンピュータ３０１は、さらに、ＬＡＮへの接続を提供するネットワークカードを含んでも良い。
【０２１６】
コンピュータシステム３００に、上述した実施の形態のサーバ装置等の機能を実行させるプログラムは、ＣＤ−ＲＯＭ３１０１に記憶されて、ＣＤ−ＲＯＭドライブ３０１２に挿入され、さらにハードディスク３０１７に転送されても良い。これに代えて、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１またはネットワークから直接、ロードされても良い。
【０２１７】
プログラムは、コンピュータ３０１に、上述した実施の形態のサーバ装置等の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３００がどのように動作するかは周知であり、詳細な説明は省略する。
【０２１８】
なお、上記プログラムにおいて、情報を送信するステップや、情報を受信するステップなどでは、ハードウェアによって行われる処理、例えば、送信ステップにおけるモデムやインターフェースカードなどで行われる処理（ハードウェアでしか行われない処理）は含まれない。
【０２１９】
また、上記プログラムを実行するコンピュータは、単数であってもよく、複数であってもよい。すなわち、集中処理を行ってもよく、あるいは分散処理を行ってもよい。
【０２２０】
また、上記各実施の形態において、一の装置に存在する２以上の通信手段は、物理的に一の媒体で実現されても良いことは言うまでもない。
【０２２１】
また、上記各実施の形態において、各処理（各機能）は、単一の装置（システム）によって集中処理されることによって実現されてもよく、あるいは、複数の装置によって分散処理されることによって実現されてもよい。
【０２２２】
本発明は、以上の実施の形態に限定されることなく、種々の変更が可能であり、それらも本発明の範囲内に包含されるものであることは言うまでもない。
【産業上の利用可能性】
【０２２３】
以上のように、本発明にかかる会員情報管理システムは、一のユーザの異なる会員情報が、各会員情報を管理する複数の装置に存在する場合に、一のユーザの一の会員情報が変更された際に、自動的に当該一のユーザの他の会員情報も変更できる、という効果を有し、会員情報管理システム等として有用である。
【符号の説明】
【０２２４】
１、２  会員情報管理システム
１１、２１  サーバ装置
１２  第一会員情報管理装置
１３  第二会員情報管理装置
１ｍ  第ｎ会員情報管理装置
１１１  会員対応情報格納部
１１２  第一会員情報変更情報受信部
１１３、２１３  会員情報更新部
１１４  コード生成部
１１５  電子会員証構成部
１１６、２１６  電子会員証出力部
１２１  第一会員情報格納部
１２２  第一受付部
１２３  第一処理部
１２４  第一送信部
１３１  第二会員情報格納部
１３２  第二受付部
１３３  第二処理部
１３４  第二送信部
１ｍ１  第ｎ会員情報格納部
１ｍ２  第ｎ受付部
１ｍ３  第ｎ処理部
１ｍ４  第ｎ送信部
【図１】
2020057419.tif 000003
【図２】
2020057419.tif 000004
【図３】
2020057419.tif 000005
【図４】
2020057419.tif 000006
【図５】
2020057419.tif 000007
【図６】
2020057419.tif 000008
【図７】
2020057419.tif 000009
【図８】
2020057419.tif 000010
【図９】
2020057419.tif 000011
【図１０】
2020057419.tif 000012
【図１１】
2020057419.tif 000013
【図１２】
2020057419.tif 000014
【図１３】
2020057419.tif 000015
【図１４】
2020057419.tif 000016
【図１５】
2020057419.tif 000017
【図１６】
2020057419.tif 000018
【図１７】
2020057419.tif 000019
【図１８】
2020057419.tif 000020